【手続補正書】
【提出日】平成31年3月15日(2019.3.15)
【手続補正１】
【補正対象書類名】特許請求の範囲
【補正対象項目名】全文
【補正方法】変更
【補正の内容】
【特許請求の範囲】
【請求項１】
検知マルチコア光ファイバ内の検知コアを呼掛けマルチコア光ファイバ内の呼掛けコアと整列させる方法であって、
前記検知マルチコア光ファイバ内の前記検知コアは、前記呼掛けマルチコア光ファイバ内の前記呼掛けコアとペアにされて、コアペアを形成し、
当該方法は、
光学干渉法を用いて、前記呼掛けコアを通じて前記コアペアに呼び掛けて、前記検知コアからの第１の反射値を決定するステップであって、前記第１の反射値は、第１の向きにおける前記コアペアについての整列の程度を表す、ステップと、
光学干渉法を用いて、前記呼掛けコアを通じて前記コアペアに呼び掛けて、前記検知コアからの第２の反射値を決定するステップであって、前記第２の反射値は、第２の向きにおける前記コアペアについての整列の程度を表すステップと、
前記第１の反射値及び前記第２の反射値に基づいて前記コアペアについての整列の向きを特定するステップとを含む、
方法。
【請求項２】
前記検知コアの端と前記呼掛けコアの端との間の相対的な位置を前記整列の向きに調節するステップと、
前記コアペアが前記整列の向きにある状態で、前記検知マルチコア光ファイバを前記呼掛けコア光ファイバに接続するステップとを更に含む、
請求項１に記載の方法。
【請求項３】
前記第１の反射値及び前記第２の反射値に基づいて前記コアペアについての整列の向きを特定するステップは、前記第１の向きにおける前記コアペアについての前記整列の程度を表す前記第１の反射値を前記第２の向きにおける前記コアペアについての前記整列の程度を表す前記第２の反射値と比較するステップと、
該比較に基づいて前記コアペアを接続するための前記整列の向きを特定するステップとを更に含む、
請求項２に記載の方法。
【請求項４】
前記検知マルチコア光ファイバは、第１のフェルール内に含められ、前記呼掛けマルチコア光ファイバは、第２のフェルール内に含められ、前記調節するステップは、前記第１及び第２のフェルールの一方又は両方の回転を含み、
当該方法は、前記第１及び第２のフェルールの少なくとも端を分割スリーブコネクタ内に配置するステップと、前記第１及び第２のフェルールが前記分割スリーブコネクタ内にある間に、前記第１及び第２のフェルールの一方又は両方を回転させるステップとを更に含む、
請求項２に記載の方法。
【請求項５】
前記光学干渉法は、周波数領域後方散乱測定法（ＯＦＤＲ）を含み、前記検知マルチコア光ファイバは、器具と関連付けられ、前記検知マルチコア光ファイバからの反射光のＯＦＤＲ検知及び処理が、前記器具の少なくとも一部分の位置及び形状のうちの少なくとも一方を決定するために用いられる、請求項１乃至４のうちのいずれか１項に記載の方法。
【請求項６】
前記特定するステップは、前記コアペアについての最大の最小測定反射振幅に基づいて前記コアペアを接続するための前記整列の向きを特定するステップ、又は
前記コアペアについての挿入損及び反射減衰量のうちの１つ又はそれよりも多くに基づいて前記コアペアを接続するための前記整列の向きを特定するステップを含む、
請求項１乃至４のうちのいずれか１項に記載の方法。
【請求項７】
前記第１及び第２の反射値は、前記コアペアの前記検知コア内のブラッグ格子反射及びレイリー散乱のうちの少なくとも一方から得られる、請求項１乃至４のうちのいずれか１項に記載の方法。
【請求項８】
検知マルチコア光ファイバ内の検知コア及び呼掛けマルチコア光ファイバ内の呼掛けコアを整列させる装置であって、
前記検知マルチコア光ファイバ内の前記検知コアは、前記呼掛けマルチコア光ファイバ内の前記呼掛けコアとペアにされて、コアペアを形成し、
当該装置は、
前記コアペアに呼び掛けるように構成される、並びに、前記コアペア内の前記検知マルチコア光ファイバからの第１の反射値を決定するように構成される、光学干渉計を含み、前記第１の反射値は、第１の向きにおける前記コアペアについての整列の程度を表し、
前記光学干渉計は、更に、前記呼掛けコアを通じて前記コアペアに呼び掛けるように構成され、且つ、前記コアペア内の前記検知コアからの第２の反射値を決定するように構成され、前記第２の反射値は、第２の向きにおける前記コアペアについての整列の程度を表し、
当該装置は、
前記第１の反射値及び前記第２の反射値に基づいて前記コアペアについての整列の向きを特定するように構成される、回路構成を含む、
装置。
【請求項９】
前記検知コアの端と前記呼掛けコアの端との間の相対的な位置を前記整列の向きに調節するように構成される、アクチュエータと、
前記コアペアが前記整列の向きにある状態で、前記検知マルチコア光ファイバを前記呼掛けマルチコア光ファイバに接続するように構成される、コネクタとを含む、
請求項８に記載の装置。
【請求項１０】
前記回路構成は、
前記第１の向きにおける前記コアペアについての整列の程度を表す前記第１の反射値を前記第２の向きにおける前記コアペアについての整列の程度を表す前記第２の反射値と比較し、且つ、
該比較に基づいて前記コアペアを接続する前記整列の向きを特定することによって、
前記第１の反射値及び前記第２の反射値に基づいて前記コアペアについての前記整列の向きを特定するように構成される、
請求項９に記載の装置。
【請求項１１】
当該装置は、溝を有する構造を含み、前記アクチュエータは、前記検知及び呼掛けマルチコア光ファイバが前記溝内にある間に、前記検知及び呼掛けマルチコア光ファイバの一方又は両方を回転させるように構成される、請求項９に記載の装置。
【請求項１２】
前記検知マルチコア光ファイバのための第１のフェルール及び前記呼掛けマルチコア光ファイバのための第２のフェルールであって、前記アクチュエータは、前記第１及び第２のフェルールの一方又は両方を回転させるように構成される、第１のフェルール及び第２のフェルールと、
少なくとも前記第１のフェルールの第１の端及び前記第２のフェルールの第２の端のための分割スリーブ構造とを更に含み、該分割スリーブ構造は、接続のために前記検知及び呼掛けマルチコアファイバの前記端を近接させるように構成され、前記アクチュエータは、前記第１及び第２のフェルールが前記分割スリーブ構造内にある間に、前記第１及び第２のフェルールの一方又は両方を回転させるように構成される、
請求項９に記載の装置。
【請求項１３】
前記光学干渉計は、光周波数領域反射器を含み、前記検知マルチコア光ファイバは、器具と関連付けられ、前記光周波数領域反射器は、前記器具の少なくとも一部分の位置及び形状のうちの少なくとも一方を決定するために、前記検知マルチコア光ファイバからの反射光を検知し且つ処理するように構成される、請求項８乃至１２のうちのいずれか１項に記載の装置。
【請求項１４】
前記回路構成は、
前記コアペアについての最大の最小測定反射振幅、又は
前記コアペアについての挿入損及び反射減衰量のうちの１つ又はそれよりも多くに基づいて、
前記整列の向きを特定するように構成される、
請求項８乃至１２のうちのいずれか１項に記載の装置。
【請求項１５】
前記第１及び第２の反射値は、前記コアペアの前記検知コア内のブラッグ格子から得られる、請求項８乃至１２のうちのいずれか１項に記載の装置。
【請求項１６】
１つ又はそれよりも多くのコアを有する第１のマルチコア光ファイバと、
手術器具のための取付けインターフェースであって、前記手術器具は、第２のマルチコア光ファイバを含み、前記第１のマルチコア光ファイバ内の前記１つ又はそれよりも多くのコアの各コアは、前記第２のマルチコア光ファイバ内のそれぞれのコアとペアにされて、１つ又はそれよりも多くのコアペアを形成する、取付けインターフェースと、
前記第１のマルチコア光ファイバに連結さる、光学干渉計であって、
前記１つ又はそれよりも多くのコアペアのうちの各コアペアについて、
第１の向きにおける前記コアペアに呼び掛けて、前記コアペア内の前記第２のマルチコア光ファイバからの第１の反射値を決定し、且つ
第２の向きにおける前記コアペアに呼び掛けて、前記コアペア内の前記第２のマルチコア光ファイバからの第２の反射値を決定する、ように構成され、
前記第１の反射値は、前記コアペアについての第１の整列の程度を表し、前記第２の反射値は、前記コアペアについての第２の整列の程度を表す、
光学干渉計と、
前記１つ又はそれよりも多くのコアペアのうちの各コアペアについて、前記コアペアの前記第１の反射値及び前記コアペアの前記第２の反射値に基づいて前記コアペアについての整列の向きを特定するように構成される、プロセッサと、
前記第１のマルチコア光ファイバの端と前記第２のマルチコア光ファイバの端との間の相対的な位置を前記１つ又はそれよりも多くのコアペアの前記１つ又はそれよりも多くの整列の向きに基づく向きに調節するように構成される、アクチュエータとを含む、
手術システム。
【請求項１７】
前記第１のマルチコア光ファイバの端と第２のマルチコア光ファイバの端との間の相対的な位置を前記１つ又はそれよりも多くのコアペアの前記１つ又はそれよりも多くの整列の向きに基づく向きに調節するように構成される、アクチュエータと、
前記コアペアが前記向きにある状態において、前記第２のマルチコア光ファイバを前記第１のマルチコア光ファイバに接続するように構成される、コネクタとを更に含み、
前記プロセッサは、
前記１つ又はそれよりも多くのコアペアの各コアペアについて、
前記第１の向きにおける前記コアペアについての整列の程度を表す前記第１の反射値を前記第２の向きにおける前記コアペアについての整列の程度を表す前記対応する第２の反射値と比較し、且つ
該比較に基づいて前記第２のマルチコア光ファイバを前記第１のマルチコア光ファイバに接続するための前記向きを特定する
ように構成される、
請求項１６に記載の手術システム。
【手続補正２】
【補正対象書類名】明細書
【補正対象項目名】００４９
【補正方法】変更
【補正の内容】
【００４９】
ＯＦＤＲ測定中、同調可能な光源２３は、光周波数の範囲を通じて掃引される(swept)(ステップＳ１０）。この光は、光カプラの使用で分割され、２つの別個の干渉計、即ち、干渉法呼掛け器２６及びレーザモニタネットワーク２８の干渉計に経路指定される(routed)。（干渉法呼掛け器２６と呼ぶことがある）第１の干渉計２６は、干渉法呼掛け器としての機能を果たし、コネクタ２４を介してある長さのマルチコア検知ファイバに接続される。光は、干渉法呼掛け器２６の測定アームを通じてマルチコア検知ファイバ１０に入る（ステップＳ１１）。次に、検知ファイバ１０からの散乱光は、干渉法呼掛け器２６の基準アームに沿って進まされる光と干渉させられる（ステップＳ１２）。レーザモニタネットワーク２８は、測定スキャンを通じて絶対波長基準をもたらすシアン化水素（ＨＣＮ）気体電池を収容する（ステップＳ１３）。レーザモニタネットワーク２８内の第２の干渉計は、光源が周波数範囲を通じてスキャン（走査）されるときに同調速度の変動を測定するために用いられる（ステップＳ１４）。一連の光検出器（例えば、フォトダイオード）が、レーザモニタネットワーク、即ち、気体電池からの光信号、及び検知ファイバからの干渉パターンを、電気信号に変換する（ステップＳ１５）。パターンが光周波数中に増分定数を保有するよう、（データ取得電子回路構成３２とも呼ぶ）データ取得ユニット３２内のデータプロセッサが、レーザモニタネットワーク２８の干渉計からの情報を用いて、検知ファイバ１０の検出される干渉パターンを再サンプリングする(resampling)(ステップＳ１６）。このステップは、フーリエ変換作業の数学的必要条件である。ひとたび再サンプリングされると、システムコントローラ３０がフーリエ変換を行って、マルチコアファイバ１２又は１０の初期的な向きについて時間領域内で光散乱信号を生成する（ステップＳ１７）。時間領域内で、光散乱事象の振幅は、ファイバの長さに沿う遅延に対して描写される。光が時間の所与の増分内で進む距離を用いるならば、この遅延を検知ファイバに沿う長さの測定に変換し得る。換言すれば、光散乱信号は、各散乱事象をファイバに沿う距離の関数として示す。サンプリング期間は、空間分解能(spatial  resolution)と呼ばれ、同調可能な光源２３が測定の間を通じて掃引される周波数範囲に反比例する。